(57)【要約】【課題】吸収性物品の制臭力を向上する。【解決手段】吸収性物品１の本体部２は、吸収体である吸収コア２２、吸収コア２２の着用者側の主面を覆うトップシート２１、吸収コア２２の着用者側とは反対側の主面を覆うバックシート２３、および、吸収コア２２とバックシート２３との間に配置される親水性の制臭シート２４を備える。制臭シート２４は、銀ゼオライトを制臭剤として含むクレープ紙である。吸収性物品１では、吸収コア２２よりも平面視における投影面積が大きい制臭シート２４が、吸収コア２２とバックシート２３との間の領域、および、吸収コア２２の周囲のトップシート２１とバックシート２３との間の領域に配置される。これにより、制臭剤を広い領域に配置するとともに排泄物を制臭シート２４により効率良く吸収することができ、吸収性物品１の制臭力を向上することができる。【選択図】図１
2008048775.tif 000002
【特許請求の範囲】
【請求項１】
着用者からの排泄物を受ける吸収性物品であって、
吸収体と、
前記吸収体の着用者側の主面を覆うトップシートと、
前記吸収体のもう一方の主面を覆うバックシートと、
前記吸収体と前記バックシートとの間の領域、および、前記吸収体の周囲の前記トップシートと前記バックシートとの間の領域に配置されるとともに制臭剤を含有する親水性の制臭シートと、
を備えることを特徴とする吸収性物品。
【請求項２】
請求項１に記載の吸収性物品であって、
前記制臭シートが、クレープ紙であることを特徴とする吸収性物品。
【請求項３】
請求項２に記載の吸収性物品であって、
前記吸収体に、前記吸収体の長手方向または前記長手方向に垂直な幅方向に伸びる溝部が形成されており、
前記制臭シートの収縮皺が、前記溝部に垂直な方向に伸びることを特徴とする吸収性物品。
【請求項４】
請求項２または３に記載の吸収性物品であって、
前記制臭シートのクレープ率が５％以上２０％以下であることを特徴とする吸収性物品。
【請求項５】
請求項１ないし４のいずれかに記載の吸収性物品であって、
前記吸収体の前記バックシート側の面積に対する前記制臭シートの面積の割合が１１０％以上２００％以下であることを特徴とする吸収性物品。
【請求項６】
請求項１ないし５のいずれかに記載の吸収性物品であって、
前記制臭シートの生理食塩水に対する１分後のクレム吸水度が７０ｍｍ以上であることを特徴とする吸収性物品。
【請求項７】
請求項１ないし６のいずれかに記載の吸収性物品であって、
前記制臭シートに含有される前記制臭剤が銀ゼオライトであることを特徴とする吸収性物品。
【請求項８】
請求項７に記載の吸収性物品であって、
前記制臭シートの前記制臭剤の含有量が、５重量％以上３０重量％以下であることを特徴とする吸収性物品。
【発明の詳細な説明】
【技術分野】
【０００１】
本発明は、着用者からの排泄物を受ける吸収性物品に関する。
【背景技術】
【０００２】
従来より、生理用ナプキンやパンティライナー、使い捨ておむつ等の吸収性物品において、吸収性物品に吸収された排泄物からの臭いを抑制するための様々な提案がなされている。
【０００３】
例えば、特許文献１では、生理用ナプキンのトップシートとバックシートとの間に設けられる吸収層を、水に膨潤しない親水性繊維および高吸収性ポリマーにより形成し、当該吸収層に制臭剤を含有させることにより、排泄物からの臭いを抑制する技術が開示されている。また、特許文献２では、生理用ナプキンの吸収層を、フラッフパルプおよび高吸収性ポリマーからなる吸収保持部、並びに、当該吸収保持部の上下面の全面および両側面を被覆する制臭シートにより構成することにより、通気性を有するバックシートから生理用ナプキンの外部に排出される臭いを抑制する技術が開示されている。
【０００４】
特許文献３では、生理用ナプキンの疎水性のバックシートに制臭剤を保持させることにより、通気性を有するバックシートから生理用ナプキンの外部に排出される臭いを抑制する技術が開示されている。特許文献３によると、当該バックシートでは、制臭剤の層が疎水性の繊維集合体と疎水性かつ通気性を有するフィルムとの間に設けられることにより、制臭剤が排泄物の水分により濡れることが防止され、制臭力の低下が抑制される。
【０００５】
特許文献４では、一部が抗菌性金属イオンで置換されている水不溶性のカルボキシメチルセルロースを抗菌剤として含有するシート状物を、生理用ナプキン等の吸収性物品のトップシートとバックシートとの間に挟み込むことにより、抗菌性を有する吸収性物品とする技術が開示されている。特許文献５では、金属を担持するゼオライト等の無機多孔結晶をセルロース等の親水性繊維に含有させたシート状の素材が開示されており、当該素材は悪臭除去等に使用可能とされている。
【特許文献１】特許第３７５３５８１号公報
【特許文献２】特許第３７５３５６０号公報
【特許文献３】特許第３７８９２５６号公報
【特許文献４】特開平１１−１８９５号公報
【特許文献５】特開平１１−３１４３０８号公報
【発明の開示】
【発明が解決しようとする課題】
【０００６】
ところで、特許文献１および特許文献２の生理用ナプキンでは、トップシートおよびバックシートの間において、制臭剤が排泄物を吸収する吸収体のみに保持されており、吸収体が存在する領域のみに制臭機能が付与されるため、生理用ナプキン全体としての制臭力の向上に限界がある。また、特許文献３の生理用ナプキンでは、制臭剤がバックシートに保持されているため、生理用ナプキンの内部（すなわち、トップシートとバックシートとの間）に存在する排泄物に対しては制臭機能を十分に発揮することができない。
【０００７】
本発明は、上記課題に鑑みなされたものであり、吸収性物品の制臭力を向上することを目的としている。
【課題を解決するための手段】
【０００８】
請求項１に記載の発明は、着用者からの排泄物を受ける吸収性物品であって、吸収体と、前記吸収体の着用者側の主面を覆うトップシートと、前記吸収体のもう一方の主面を覆うバックシートと、前記吸収体と前記バックシートとの間の領域、および、前記吸収体の周囲の前記トップシートと前記バックシートとの間の領域に配置されるとともに制臭剤を含有する親水性の制臭シートとを備える。
【０００９】
請求項２に記載の発明は、請求項１に記載の吸収性物品であって、前記制臭シートが、クレープ紙である。
【００１０】
請求項３に記載の発明は、請求項２に記載の吸収性物品であって、前記吸収体に、前記吸収体の長手方向または前記長手方向に垂直な幅方向に伸びる溝部が形成されており、前記制臭シートの収縮皺が、前記溝部に垂直な方向に伸びる。
【００１１】
請求項４に記載の発明は、請求項２または３に記載の吸収性物品であって、前記制臭シートのクレープ率が５％以上２０％以下である。
【００１２】
請求項５に記載の発明は、請求項１ないし４のいずれかに記載の吸収性物品であって、前記吸収体の前記バックシート側の面積に対する前記制臭シートの面積の割合が１１０％以上２００％以下である。
【００１３】
請求項６に記載の発明は、請求項１ないし５のいずれかに記載の吸収性物品であって、前記制臭シートの生理食塩水に対する１分後のクレム吸水度が７０ｍｍ以上である。
【００１４】
請求項７に記載の発明は、請求項１ないし６のいずれかに記載の吸収性物品であって、前記制臭シートに含有される前記制臭剤が銀ゼオライトである。
【００１５】
請求項８に記載の発明は、請求項７に記載の吸収性物品であって、前記制臭シートの前記制臭剤の含有量が、５重量％以上３０重量％以下である。
【発明の効果】
【００１６】
本発明では、吸収性物品の制臭力を向上することができる。
【発明を実施するための最良の形態】
【００１７】
図１は、本発明の第１の実施の形態に係る吸収性物品１を示す平面図であり、図２は、吸収性物品１を図１中に示すＡ−Ａの位置で長手方向（すなわち、図１中の上下方向）に垂直な面で切断した断面図である。吸収性物品１は、着用者が着用する外装物品である下着の内側において、着用者からの径血等の排泄物を受ける生理用ナプキンである。図１では、着用者に接する面（すなわち、着用者側）を手前側にして吸収性物品１を描いている。
【００１８】
図１および図２に示すように、吸収性物品１は、略シート状の本体部２、および、本体部２の長手方向のほぼ全長に亘って長手方向に垂直な幅方向の両側に設けられた一対の側壁部３を備える。図２に示すように、一対の側壁部３のそれぞれには、長手方向に伸びる弾性部材３１が接合されており、吸収性物品１を広げた状態（図１参照）では、弾性部材３１は伸張状態となっている。吸収性物品１では、弾性部材３１が収縮することにより、本体部２の側方において側壁部３が着用者側に向かって立ち上がり、着用時に着用者の足の付け根近傍に当接するギャザーが形成される。
【００１９】
側壁部３は、撥水性または不透液性の不織布（例えば、スパンボンド不織布やメルトブロー不織布、ＳＭＳ（スパンボンド・メルトブロー・スパンボンド）不織布）やプラスチックフィルム、あるいは、これらの複合材料により形成される。吸収性物品１の快適性向上の観点からは、側壁部３が通気性を有することが好ましい。弾性部材３１としては、ポリウレタン糸、ポリウレタンフィルム、天然ゴム等が用いられ、ホットメルト接着剤や熱圧着、超音波圧着等により側壁部３に接合される。本実施の形態では、弾性部材３１としてポリウレタンフィルムが用いられ、ゴム系のホットメルト接着剤により側壁部３に接着される。なお、各側壁部３には複数の弾性部材３１が設けられてもよい。
【００２０】
図１および図２に示すように、本体部２は、吸収体である吸収コア２２、吸収コア２２の内側の主面（すなわち、着用者側の主面）を覆うトップシート２１、吸収コア２２の外側の主面（すなわち、着用者側とは反対側のもう一方の主面）を覆うバックシート２３、および、吸収コア２２とバックシート２３との間に配置される親水性の制臭シート２４を備える。トップシート２１およびバックシート２３は、ホットメルト接着剤等により吸収コア２２および制臭シート２４の周囲にて互いに接合され、吸収コア２２の側方には側壁部３が接合される。
【００２１】
トップシート２１は透液性のシート材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２２】
バックシート２３は、撥水性または不透液性のプラスチックフィルムであり、トップシート２１を透過した排泄物が、本体部２の外側にしみ出すのを防止する。吸収性物品１の内側のムレを防止して着用者の快適性を向上するという観点からは、透湿性（すなわち、通気性）を有するプラスチックフィルムがバックシート２３として利用されることが好ましい。バックシート２３としては、撥水性または不透液性の不織布や当該不織布の内側に撥水性または不透液性のプラスチックフィルムが積層された積層シートが利用されてもよい。バックシート２３に利用される不織布は、例えば、スパンボンド不織布やメルトブロー不織布、ＳＭＳ不織布であり、必要に応じて撥水処理が施されてもよい。
【００２３】
図３は、図２に示す吸収コア２２を拡大して示す断面図であり、図４は、吸収コア２２の平面図である。図３および図４に示すように、吸収コア２２は、本体部２のトップシート２１（図２参照）に当接する上層シート２２１、バックシート２３（図２参照）に当接する下層シート２２３、および、上層シート２２１と下層シート２２３との間において接着剤により両シートの少なくとも一方に接着される粒状の吸水性ポリマー（例えば、ＳＡＰ(Super Absorbent Polymer)）２２２を備える。上層シート２２１および下層シート２２３は、親水性の不織布等により形成される。なお、図３および図４では、図示の都合上、吸水性ポリマー２２２を実際よりも大きく描いている。
【００２４】
吸収コア２２では、長手方向に伸びるとともに幅方向に互いに離間して配列された複数の帯状領域２２４に吸水性ポリマー２２２が固定されており、上層シート２２１および下層シート２２３は、各帯状領域２２４の間の領域（すなわち、吸水性ポリマー２２２が存在しない領域）において溶着により接合される。これにより、吸収コア２２では、吸収コア２２の長手方向に伸びる溝部２２５が形成されることとなる。
【００２５】
吸収性物品１では、トップシート２１を透過した排泄物が、吸収コア２２の吸水性ポリマー２２２に吸収され、吸水性ポリマー２２２が膨潤する。このように、排泄物が吸水性ポリマー２２２により固定されることにより、排泄物がトップシート２１を再度透過して着用者側に漏出すること（いわゆる、着用者側への逆流）が防止されるとともに排泄物の臭いが抑制される。
【００２６】
図１および図２に示す制臭シート２４は、制臭剤を含有する親水性のシート部材であり、制臭シート２４を形成する親水性繊維としては、例えば、セルロースやパルプが用いられる。制臭剤としては、好ましくは金属（例えば、銀、銅、亜鉛、鉄、ニッケルコバルト、パラジウム、白金）を担持するゼオライト等の無機多孔結晶が用いられる。本実施の形態では、制臭シート２４として、制臭剤である銀ゼオライトを含有するセルロース繊維からなるレンゴー株式会社製の銀セルガイア（セルガイアは登録商標）が用いられる。制臭シート２４では、銀ゼオライトの含有量は、好ましくは５重量％以上３０重量％以下とされる。
【００２７】
制臭シート２４は、図１および図２に示すように、吸収コア２２とバックシート２３との間の領域、および、吸収コア２２の周囲のトップシート２１とバックシート２３との間の領域に配置される。換言すれば、制臭シート２４は、吸収コア２２とバックシート２３との間から吸収コア２２の周囲にまで広がって存在している。平面視における吸収コア２２のバックシート２３側の面積に対する制臭シート２４の面積の割合は、好ましくは１１０％以上２００％以下（より好ましくは、１３０％以上１９０％以下）であり、本実施の形態では、約１７０％とされる。
【００２８】
図５は、制臭シート２４を示す平面図である。図５に示すように、制臭シート２４は、ちりめん状の収縮皺２４１が形成されたクレープ紙であり、収縮皺２４１は、吸収性物品１の長手方向に垂直な方向（すなわち、図４に示す吸収コア２２の長手方向に沿って伸びる溝部２２５に垂直な方向）に伸びる。制臭シート２４のクレープ率（すなわち、収縮皺２４１に垂直な方向に制臭シート２４を引っ張って広げた際の制臭シート２４の面積の増加率）は、好ましくは５％以上２０％以下とされ、本実施の形態では約１０％とされる。また、生理食塩水に対する制臭シート２４の１分後のクレム吸水度は、７０ｍｍ以上とされる。当該制臭シート２４のクレム吸水度は、濃度１％の食塩水を試験液として、常温の室内においてＪＩＳ−Ｐ８１４１に規定される測定方法に準じて測定される。
【００２９】
以上に説明したように、吸収性物品１では、吸収コア２２よりも平面視における投影面積が大きい親水性の制臭シート２４が、吸収コア２２とバックシート２３との間の領域、および、吸収コア２２の周囲のトップシート２１とバックシート２３との間の領域に配置される。このため、吸収性物品１では、平面視において吸収コア２２が存在する領域よりも広い領域に制臭剤を配置することができる。また、トップシート２１を通過した排泄物は、吸収コア２２の吸水性ポリマー２２２に吸収されて固定される（すなわち、吸水性ポリマー２２２が膨潤する）までの間、バックシート２３側に向かって移動するが、当該排泄物を親水性の制臭シート２４により効率良く吸収することができる。このように、制臭剤を広い領域に配置するとともに排泄物を制臭シート２４により効率良く吸収することにより、吸収性物品１の制臭力を向上することができる。
【００３０】
また、吸収性物品１では、制臭シート２４が透湿性のバックシート２３の着用者側に当接して設けられることにより、バックシート２３を通過して吸収性物品１の外部に排出される臭いを効率良く抑制することができる。さらには、制臭シート２４が吸収コア２２の周囲にも設けられるため、バックシート２３から吸収性物品１の外部に排出される臭いをより効率良く抑制することができる。
【００３１】
また、制臭シート２４が、吸収コア２２の他の面を被覆することなく吸収コア２２のバックシート２３側の主面のみに当接して当該主面のみを被覆することにより、すなわち、吸収コア２２に固定される前の排泄物が集まって実質的に最も制臭力が必要とされる位置のみに制臭シート２４を配置することにより、吸収性物品１を小型化することもできる。
【００３２】
吸収性物品１では、制臭シート２４の面積が、吸収コア２２のバックシート２３側の面積の１１０％以上（より好ましくは、１３０％以上）とされることにより、吸収コア２２の周囲に設けられる制臭シート２４の面積を十分に確保して吸収性物品１の制臭力をより確実に向上することができる。また、制臭シート２４の面積が吸収コア２２のバックシート２３側の面積の２００％以下（より好ましくは、１９０％以下）とされることにより、吸収コア２２の面積が吸収性物品１全体の面積に対して過剰に小さくなることを防止し、吸収性物品１の吸収力を十分に確保しつつ吸収性物品１が大型化することを防止することができる。
【００３３】
吸収性物品１では、制臭シート２４が収縮皺２４１を有するクレープ紙とされることにより、収縮皺を有しない平滑な制臭シートが設けられる場合とは異なり、平面視における投影面積を大きくすることなく制臭シート２４の表面積を増大させることができる。これにより、制臭シート２４の排泄物に接触する表面積を大きくし、制臭シート２４により排泄物を効率良く吸収することができるため、吸収性物品１の制臭力をより向上することができる。
【００３４】
また、制臭シート２４では、排泄物が収縮皺２４１を伝わって幅方向に迅速に拡散するため、制臭シート２４により排泄物をより効率良く吸収することができ、吸収性物品１の制臭力をさらに向上することができる。さらには、吸収性物品１において、収縮皺２４１が吸収コア２２の溝部２２５に垂直な方向に伸びるように制臭シート２４が配置されることにより、排泄物を収縮皺２４１および溝部２２５を介して本体部２全体に迅速に拡散させることができ、吸収性物品１の制臭力をより一層向上することができる。
【００３５】
制臭シート２４では、クレープ率が５％以上とされることにより、排泄物をより効率良く吸収することができ、吸収性物品１の制臭力の向上をより確実に実現することができる。また、クレープ率が２０％以下とされることにより、制臭シート２４のこしの強さ（すなわち、剛度）を大きくすることができ、吸収性物品１の製造時における制臭シート２４の取り扱いを容易とすることができる。
【００３６】
吸収性物品１では、制臭シート２４の生理食塩水に対する１分後のクレム吸水度が７０ｍｍ以上とされることにより、排泄物を制臭シート２４全体に迅速に拡散することができる。これにより、制臭シート２４に含有される制臭剤の大部分を排泄物の制臭に利用することができるため、吸収性物品１の制臭力をより向上することができる。
【００３７】
制臭シート２４では、制臭剤として銀ゼオライトが用いられることにより、吸収性物品１の制臭力を向上することができるとともに抗菌力をも向上することができる。また、銀ゼオライトの含有量が５重量％以上とされることにより、制臭力および抗菌力をより確実に向上することができ、３０重量％以下とされることにより、制臭シート２４の製造コストが過剰に増大することを防止して適切な範囲に収めることができる。
【００３８】
次に、本発明の第２の実施の形態に係る吸収性物品について説明する。図６は、第２の実施の形態に係る吸収性物品１ａを示す平面図である。図６に示すように、吸収性物品１ａでは、長手方向の一方の端部における本体部２の形状が、図１に示す吸収性物品１とは異なる。その他の構成は図１ないし図５と同様であり、以下の説明において同符号を付す。
【００３９】
図６に示すように、吸収性物品１ａでは、本体部２の一方の端部の幅が、その他の部位の幅よりも大きくされる。また、制臭シート２４も同様に、本体部２の幅が大きくなっている領域において、他の部位よりも幅が大きくなっている。吸収性物品１ａでは、吸収コア２２のバックシート２３側の面積に対する制臭シート２４の面積の割合は、約１９０％とされる。
【００４０】
吸収性物品１ａでも、第１の実施の形態と同様に、吸収コア２２よりも平面視における投影面積が大きい親水性の制臭シート２４が、吸収コア２２とバックシート２３との間の領域、および、吸収コア２２の周囲のトップシート２１とバックシート２３との間の領域に配置される。これにより、制臭剤を広い領域に配置するとともに排泄物を制臭シート２４により効率良く吸収することができ、吸収性物品１ａの制臭力を向上することができる。
【００４１】
次に、本発明の第３の実施の形態に係る吸収性物品について説明する。図７は、第３の実施の形態に係る吸収性物品１ｂを示す平面図であり、図８は、吸収性物品１ｂを図７中のＢ−Ｂの位置で切断した断面図である。図７および図８に示すように、吸収性物品１ｂでは、本体部２の形状が図１に示す吸収性物品１とは異なり、また、本体部２の幅方向の両側に側壁部が設けられない。その他の構成は図１ないし図５と同様であり、以下の説明において同符号を付す。
【００４２】
図７に示すように、吸収性物品１ｂでは、本体部２の長手方向の中央近傍の幅が、長手方向の両端部近傍の幅よりも小さくされる。また、制臭シート２４も同様に、長手方向の中央近傍の幅が、長手方向の両端部近傍の幅よりも小さくされる。吸収性物品１ｂでは、吸収コア２２のバックシート２３側の面積に対する制臭シート２４の面積の割合は、約１７５％とされる。
【００４３】
図７および図８に示すように、吸収性物品１ｂでも、第１の実施の形態と同様に、親水性の制臭シート２４が、吸収コア２２とバックシート２３との間の領域、および、吸収コア２２の周囲のトップシート２１とバックシート２３との間の領域に配置される。これにより、制臭剤を広い領域に配置するとともに排泄物を制臭シート２４により効率良く吸収することができ、吸収性物品１ｂの制臭力を向上することができる。
【００４４】
以上、本発明の実施の形態について説明してきたが、本発明は上記実施の形態に限定されるものではなく、様々な変更が可能である。
【００４５】
例えば、上記実施の形態に係る吸収性物品の吸収コア２２は、積層された３枚以上の不織布等の各層間に吸水性ポリマーが固定された構造とされてもよい。また、吸収コア２２では、溝部２２５（すなわち、吸水性ポリマー２２２が存在しない領域）が、吸収コア２２の幅方向に伸びるように形成されてもよい。この場合、収縮皺２４１が溝部２２５に垂直な方向である吸収コア２２の長手方向に伸びるように制臭シート２４が配置されることにより、排泄物を本体部２全体に迅速に拡散させて制臭力をより向上することができる。
【００４６】
吸収コア２２は、親水性繊維（例えば、粉砕したパルプ繊維やセルロース繊維）に粒状の吸水性ポリマー（例えば、ＳＡＰ）を混合したものをティッシュペーパーや透液性不織布等の被覆シートにより包み込んで形成されてもよい。この場合、溝部２２５は、吸収コア２２に対してエンボス加工が施されることによりが形成される。
【００４７】
吸収性物品では、吸収コア２２のバックシート２３側の主面以外の他の面も、必要に応じて制臭シートにより被覆されてよい。
【００４８】
上記実施の形態に係る吸収性物品は、生理用ナプキン以外にも、パンティライナーや使い捨ておむつのパッド部として用いられてもよく、使い捨ておむつ等の内側に取り付けられる尿取りパッド等の補助吸収具として用いられてもよい。
【図面の簡単な説明】
【００４９】
【図１】第１の実施の形態に係る吸収性物品の平面図である。
【図２】吸収性物品の断面図である。
【図３】吸収コアの拡大断面図である。
【図４】吸収コアの平面図である。
【図５】収縮皺の平面図である。
【図６】第２の実施の形態に係る吸収性物品の平面図である。
【図７】第３の実施の形態に係る吸収性物品の平面図である。
【図８】吸収性物品の断面図である。
【符号の説明】
【００５０】
１，１ａ，１ｂ    吸収性物品
２１    トップシート
２２    吸収コア
２３    バックシート
２４    制臭シート
２２５    溝部
２４１    収縮皺
【図１】
2008048775.tif 000003
【図２】
2008048775.tif 000004
【図３】
2008048775.tif 000005
【図４】
2008048775.tif 000006
【図５】
2008048775.tif 000007
【図６】
2008048775.tif 000008
【図７】
2008048775.tif 000009
【図８】
2008048775.tif 000010